(57)【要約】【課題】光ケーブルを、余長処理も可能に曲げ状態で支持すること。【解決手段】光ケーブルを、曲げた状態で引掛け可能な第１引掛面２３を有する第１曲げ部２０と、第１曲げ部２０に引掛けられる光ケーブルより大きい曲げ半径で曲げた状態で引掛可能な第２引掛面３３を有する第２曲げ部３０と、第１曲げ部２０及び第２曲げ部３０を一定位置に支持可能な支持部４０とを備える。【選択図】図３
2012037694.tif 000002
【特許請求の範囲】
【請求項１】
光ケーブルを曲げた状態で一定位置に支持するための光ケーブル曲げ支持部材であって、
前記光ケーブルを、曲げた状態で引掛け可能な第１引掛面を有する第１曲げ部と、
前記光ケーブルを、前記第１曲げ部に引掛けられる光ケーブルより大きい曲げ半径で曲げた状態で引掛可能な第２引掛面を有する第２曲げ部と、
前記第１曲げ部及び前記第２曲げ部を一定位置に支持可能な支持部と、
を備える光ケーブル曲げ支持部材。
【請求項２】
請求項１に記載の光ケーブル曲げ支持部材であって、
前記支持部は、前記第１曲げ部又は前記第２曲げ部の一側端部から、外周側に向けて延出する略板状に形成されている、光ケーブル曲げ支持部材。
【請求項３】
請求項１又は２に記載の光ケーブル曲げ支持部材であって、
前記第１曲げ部と前記第２曲げ部と前記支持部とは一体成形されている、光ケーブル曲げ支持部材。
【請求項４】
請求項１〜３のいずれか一項に記載の光ケーブル曲げ支持部材であって、
前記第１曲げ部又は前記第２曲げ部に引掛けられる前記光ケーブルを、前記第１曲げ部又は前記第２曲げ部から外れるのを防止する外れ防止部をさらに備えている、光ケーブル曲げ支持部材。
【発明の詳細な説明】
【技術分野】
【０００１】
光ケーブルを曲げて敷設する技術に関する。
【背景技術】
【０００２】
光ケーブルを曲げて敷設する際に、光ケーブルを許容値より小さい曲げ半径にならないようにする屈曲治具が、特許文献１に開示されている。特許文献１の屈曲治具は、延在方向両端部から中央部に向かって先細り形状に形成されると共に、延在方向中央部が円筒状に形成されている。すなわち、この屈曲治具は、光ケーブルを円筒状の部分に沿わせて曲げるものであり、当該円筒状の部分の曲率半径が、光ケーブルの曲げ半径が許容値以上になるように設定されている。
【先行技術文献】
【特許文献】
【０００３】
【特許文献１】特開２００１−２１５３３９号公報
【発明の概要】
【発明が解決しようとする課題】
【０００４】
ところで、光ケーブルは、信号伝送用にワイヤーハーネスと共に自動車等に敷設されることがある。自動車に敷設される光ケーブルは、ワイヤーハーネスの組立作業時に、組立図板上でワイヤーハーネスと一緒に配策経路上に配策される。そして、光ケーブルは、ワイヤーハーネスの曲げ、分岐位置等で曲げて配策される。このように、光ケーブルは、ワイヤーハーネスに対して相対的に曲げ位置が決定され、ワイヤーハーネスの曲げ、分岐位置等の一定位置に固定される特許文献１のような屈曲治具に曲げ支持される。
【０００５】
また、この光ケーブルは、組立図板上における取り回しのため、基準寸法より長い設定寸法で製造されることもある。この場合、光ケーブルを配策経路上に配策した状態で、当該光ケーブルに基準寸法より長い余長分の弛みが発生することもある。
【０００６】
しかしながら、特許文献１の屈曲治具によると、ワイヤーハーネスの曲げ、分岐位置等の一定位置に固定された状態では、光ケーブルに余長が生じている場合に、光ケーブルが弛みにより当該屈曲治具から外れてしまう恐れがある。
【０００７】
そこで、本発明は、光ケーブルを、余長処理も可能に曲げ状態で支持することを目的とする。
【課題を解決するための手段】
【０００８】
第１の態様に係る光ケーブル曲げ支持部財は、光ケーブルを曲げた状態で一定位置に支持するための光ケーブル曲げ支持部材であって、前記光ケーブルを、曲げた状態で引掛け可能な第１引掛面を有する第１曲げ部と、前記光ケーブルを、前記第１曲げ部に引掛けられる光ケーブルより大きい曲げ半径で曲げた状態で引掛可能な第２引掛面を有する第２曲げ部と、前記第１曲げ部及び前記第２曲げ部を一定位置に支持可能な支持部とを備える。
【０００９】
第２の態様に係る光ケーブル曲げ支持部材は、第１の態様に係る光ケーブル曲げ支持部材であって、前記支持部は、前記第１曲げ部又は前記第２曲げ部の一側端部から、外周側に向けて延出する略板状に形成されている。
【００１０】
第３の態様に係る光ケーブル曲げ支持部材は、第１又は２の態様に係る光ケーブル曲げ支持部材であって、前記第１曲げ部と前記第２曲げ部と前記支持部とは一体成形されている。
【００１１】
第４の態様に係る光ケーブル曲げ支持部材は、第１〜３の態様のいずれか一態様に係る光ケーブル曲げ支持部材であって、前記第１曲げ部又は前記第２曲げ部に引掛けられる前記光ケーブルを、前記第１曲げ部又は前記第２曲げ部から外れるのを防止する外れ防止部をさらに備えている。
【発明の効果】
【００１２】
第１の態様に係る光ケーブル曲げ支持部材によると、光ケーブルを曲げ状態で引掛可能な第１引掛面を有する第１曲げ部と、光ケーブルを第１曲げ部に引掛けられる光ケーブルより大きい曲げ半径で曲げた状態で引掛可能な第２引掛面を有する第２曲げ部とを備えている。そして、支持部により第１曲げ部及び第２曲げ部を一定位置に支持可能に構成されている。このため、第１曲げ部又は第２曲げ部に対して選択的に引掛けることにより、光ケーブルを、余長処理も可能に曲げ状態で支持することができる。
【００１３】
第２の態様に係る光ケーブル曲げ支持部材によると、支持部が、第１曲げ部又は第２曲げ部の一側端部から、外周側に向けて延出する板状に形成されているため、ワイヤーハーネス等の固定対象に対して支持部を粘着テープ等で貼り付けるだけで、第１曲げ部及び第２曲げ部を容易に一定位置に固定することができる。
【００１４】
第３の態様に係る光ケーブル曲げ支持部材によると、第１曲げ部と第２曲げ部と支持部とが一体成形されているため、部品点数の削減を図ることができる。
【００１５】
第４の態様に係る光ケーブル曲げ支持部材によると、外れ防止部により、光ケーブルが第１曲げ部及び第２曲げ部から外れるのを防止することができる。
【図面の簡単な説明】
【００１６】
【図１】ワイヤーハーネスの曲げ位置で曲げ支持される光ケーブルを示す図である。
【図２】ワイヤーハーネスの分岐位置で曲げ支持される光ケーブルを示す図である。
【図３】光ケーブル曲げ支持部材の斜視図である。
【図４】光ケーブル曲げ支持部材の側面図である。
【図５】光ケーブル曲げ支持部材の平面図である。
【図６】光ケーブルを第１曲げ部に引掛けて支持した態様を示す図である。
【図７】光ケーブルを第２曲げ部に引掛けて支持した態様を示す図である。
【発明を実施するための形態】
【００１７】
実施形態に係る光ケーブル曲げ支持部材について説明する。光ケーブル曲げ支持部材は、光ケーブルを曲げて敷設するための部材である。
【００１８】
＜光ケーブルについて＞
説明の便宜上、光ケーブル曲げ支持部材１０が支持対象とする光ケーブル２について説明する（図１、図２参照）。ここでは、自動車に搭載される電気機器等の信号伝送用に用いられる光ケーブル２を対象としている。この光ケーブル２は、自動車に敷設されるワイヤーハーネスＷＨと一緒に組立図板上で配策経路に配策される。図１、図２では、各コネクタＣ間に配策されるワイヤーハーネスＷＨ及び光ケーブル２を示している。そして、光ケーブル２は、ワイヤーハーネスＷＨの曲げ、分岐位置等で曲げ状態で支持される。すなわち、光ケーブル曲げ支持部材１０により、一定位置で、光ケーブル２を曲げ状態で支持する。
【００１９】
光ケーブル２には、内部の光ファイバの伝送損失の抑制及び曲げ破断防止のため、最小許容曲げ半径が設定されている。ここで、最小許容曲げ半径は、曲げ半径が小さくなるのに伴って大きくなる光ファイバの伝送損失及び破断確率が光ケーブルの使用に耐え得ると想定される限界の曲げ半径として設定されるものである。より具体的には、伝送損失（曲げ損失）は、例えば、ある曲げ半径でｎ周巻かれた光ケーブルに対して、ある波長ｌの光信号を入射させたときの損失の度合い（ｄＢ）で評価される。また、破断確率は、例えば、ある曲げ半径でｍ周巻かれた光ケーブルのｔ年後の破断する確率で評価される（例えば、加速試験が行われるとよい）。そして、最小許容曲げ半径は、伝送損失及び破断確率の両評価値が、実際の使用状況に応じて決定される基準値を満たすように設定される。例えば、伝送損失が、ある曲げ半径ｒで１００周巻かれた光ケーブルに対して波長１５５０ｎｍの光信号を入射させたときの損失の度合い（ｄＢ）で、破断確率が、ある曲げ半径ｒで５０周巻かれた光ケーブルの１５年後の破断する確率で評価されるとよい。この場合、たとえば、最小許容曲げ半径は、伝送損失が０．５ｄＢ／１００周以下で、且つ、破断確率が１．０×１０-6以下となるような曲げ半径ｒとすることができる。なお、曲げ半径とは、光ケーブル２の中心軸の曲率半径のことを言うものとする。ここでは、光ファイバとして、プラスチックより速い通信速度で信号伝達が可能な石英ガラスを使用したものを採用しているため、プラスチック製のものと比較して曲げ破断しやすい。
【００２０】
また、光ケーブル２は、配策経路に配策されるときの基準寸法より長い設定寸法に設定されると共に、設定寸法に対する寸法公差が、光ケーブル２の実寸法が基準寸法より小さくならない（好ましくは大きくなる）ように設定されて製造され、組立作業に供される。このため、光ケーブル２は、弛みなく配策される場合もあれば、実寸法の基準寸法より長い余長分の弛みが発生する場合もある。そこで、本光ケーブル曲げ支持部材１０は、光ケーブル２に余長が発生する場合に、この余長を光ケーブル２の曲げ位置で吸収するように、余長吸収可能に構成されている。上記光ケーブル２の設定寸法は、組立図板上での光ケーブル２の配策作業において取り回しによる長さ不足、又は、光コネクタ等の取り付けにおいて皮剥き失敗等による光ケーブル２の長さ不足等を回避するために基準寸法より長く設定される。なお、以下説明において、上記のように、光ケーブル２の実寸法の基準寸法より長い分の寸法のことを余長という。
【００２１】
＜光ケーブル曲げ支持部材について＞
本光ケーブル曲げ支持部材１０は、第１曲げ部２０と、第２曲げ部３０と、支持部４０と、外れ防止部５０とを備えている（図３〜５参照）。
【００２２】
第１曲げ部２０は、光ケーブル２を曲げた状態で引掛け可能な第１引掛面２３を有する。この第１曲げ部２０は、第１本体部２２と、ガイド部２６とを有している。
【００２３】
第１本体部２２は、略円板状に形成され、この外周面が上記第１引掛面２３である。ここでは、第１引掛面２３は、光ケーブル２が引掛けられた状態で、光ケーブル２を、予め設定された最小許容曲げ半径を確保して曲げ可能な曲率半径に設定されている。すなわち、第１本体部２２の半径は、光ケーブル２の最小許容曲げ半径より光ケーブル２の半径分小さい寸法に設定されている。もっとも、第１引掛面２３は、上記曲率半径のものに限られず、光ケーブル２を最小許容曲げ半径より大きい曲げ半径に維持するような曲率半径に設定されていてもよい。また、第１本体部２２は、支持対象となる光ケーブル２の直径より大きい（ここでは僅かに大きい）厚さ寸法に設定されている。
【００２４】
ガイド部２６は、第１本体部２２に引掛けられる光ケーブル２を、第１本体部２２の中心軸方向一方側で移動規制する部分である。このガイド部２６は、第１本体部２２より大径な略円板状に形成され、第１本体部２２と中心軸を略一致させる形態で第１本体部２２の一端部に設けられている。好ましくは、ガイド部２６は、第１本体部２２の半径より、光ケーブル２の半径分以上大きい半径に設定されているとよい。すなわち、ガイド部２６の先端部が、第１本体部２２に引掛けられる光ケーブル２の中心軸より第１本体部２２の外周側に突出するようになっているとよい。
【００２５】
第２曲げ部３０は、光ケーブル２を、第１曲げ部２０に引掛けられる光ケーブル２より大きい曲げ半径で曲げた状態で引掛可能な第２引掛面３３を有する。この第２曲げ部３０は、第１曲げ部２０と中心軸を略一致させて、第１曲げ部２０の他端側に設けられている。第２曲げ部３０は、第２本体部３２と、ガイド部３６と、基部３８とを有している。
【００２６】
第２本体部３２は、略円板状に形成され、この外周面が上記第２引掛面３３である。より具体的には、第２引掛面３３は、光ケーブル２の余長を吸収して曲げ可能な曲率半径に設定されている。ここでは、第２引掛面３３の曲率半径は、光ケーブル２の設定寸法の基準寸法より長い寸法分の余長を吸収して光ケーブル２を引掛可能なように設定されている。すなわち、実寸法が設定寸法と略同じである光ケーブル２を、第２曲げ部３０に引掛けると、弛みを少なく配策することができる。なお、この第２引掛面３３の曲率半径は、光ケーブル２を第１曲げ部２０に１周巻き付けて処理できる長さより短い余長を処理可能な大きさである。また、第２本体部３２は、支持対象となる光ケーブル２の直径より大きい（ここでは僅かに大きい）厚さ寸法に設定されている。
【００２７】
ガイド部３６は、第２本体部３２に引掛けられる光ケーブル２を、第２本体部３２の中心軸方向一方側で移動規制する部分である。このガイド部３６は、第２本体部３２より大径な略円板状に形成され、第２本体部３２と中心軸を略一致させる形態で第２本体部３２の一端部に設けられている。好ましくは、ガイド部３６は、第２本体部３２の半径より、光ケーブル２の半径分以上大きい半径に設定されているとよい。すなわち、ガイド部３６の先端部が、第２本体部３２に引掛けられる光ケーブル２の中心軸より第２本体部３２の外周側に突出するようになっている。また、ガイド部３６は、第１曲げ部２０の第１本体部２２に対して他端側で隣接しており、第１本体部２２に引掛けられる光ケーブル２を、第２本体部３２の中心軸方向他方側で移動規制する役割も果たす。
【００２８】
基部３８は、略円板状に形成され、第２本体部３２と中心軸を略一致させる形態で第２本体部３２の他端部に設けられている。ここでは、基部３８は、ガイド部３６と略同径に形成されている。この基部３８は、第２本体部３２に引掛けられる光ケーブル２を、第２本体部３２の中心軸方向他方側で移動規制可能になっている。
【００２９】
ここで、第１曲げ部２０及び第２曲げ部３０について、第１引掛面２３、３３が略円板状の第１本体部２２、３２の厚さ方向に平らな外周面である例で説明したが、第１引掛面２３、３３は、例えば、厚さ方向において光ケーブル２の外周面に沿うように内周側に凹となる断面視弧状の凹条面であってもよい。
【００３０】
支持部４０は、第１曲げ部２０及び第２曲げ部３０をワイヤーハーネスＷＨの一定位置に支持するための部分である（図３〜図５参照）。より具体的には、支持部４０は、第１曲げ部２０又は第２曲げ部３０の一側端部から、その外周側すなわち第１曲げ部２０及び第２曲げ部３０の中心軸に略直交する一方に向けて直線状に延出する板状に形成されている。ここでは、支持部４０は、第２曲げ部３０の基部３８の一側端部から延出している。すなわち、この支持部４０は、ワイヤーハーネスＷＨの屈曲、分岐位置等に重ねた状態で粘着テープＴを巻き付ける等して固定されることにより、第１曲げ部２０及び第２曲げ部３０を一定位置に支持することができる。この支持部４０は、支持本体部４２と、抜止め部４６とを有している。支持本体部４２は、平面視略長方形の平板状に形成されている。抜止め部４６は、支持本体部４２の先端部から、第２曲げ部３０から第１曲げ部２０に向かう方向に突出するように形成されている。
【００３１】
なお、支持部４０は、ワイヤーハーネスＷＨに対する支持箇所によっては複数の方向に延出するように設けられていてもよいが、好ましくは、一方にだけ延出するように設けられているとよい。これにより、光ケーブル曲げ支持部材１０の取付構造が簡素化されると共に、場所を選ばずに取付けすることができて汎用性に優れるという利益が得られる。
【００３２】
そして、支持部４０は、ワイヤーハーネスＷＨの延在方向と支持本体部４２の延出方向とが略一致し、支持本体部４２及び第２曲げ部３０の基部３８をワイヤーハーネスＷＨの外周部に当接させる姿勢で、支持本体部４２がワイヤーハーネスＷＨと一緒に粘着テープＴで巻かれる等して、第１曲げ部２０及び第２曲げ部３０をワイヤーハーネスＷＨの一定位置に支持することができる（図６、図７参照）。ここで、支持部４０が第１曲げ部２０より大径な第２曲げ部３０の基部３８から延出するように形成されていることにより、支持状態で、第１曲げ部２０より大径な第２曲げ部３０がワイヤーハーネスＷＨ側に位置して接触するため、傾き等を抑制して安定して光ケーブル２を曲げ支持することができる。
【００３３】
また、支持本体部４２が粘着テープＴで巻かれた状態で、当該粘着テープＴの側方には抜止め部４６が存在し、支持本体部４２が粘着テープＴの間から抜け出るのを防止できる。なお、支持本体部４２の抜止め部４６に対する反対側の端部には、第２曲げ部３０が存在しており、両側で粘着テープＴの間から抜け出ないようになっている。
【００３４】
上記支持部４０及び基部３８は、固定時にワイヤーハーネスＷＨに接触する部分（第１曲げ部２０と反対側の部分）が、ワイヤーハーネスＷＨの外周面に沿った湾曲面を有していてもよい。
【００３５】
また、支持部４０は、上記形態に限られるものではなく、ワイヤーハーネスＷＨに対して自ら固定可能な構成であってもよい。例えば、支持部は、第２曲げ部３０の基部３８の一方向両端部から延出する帯状に形成され、ワイヤーハーネスＷＨに対して巻き付けすることにより取付けられるものでもよい。具体的には、結束バンドの構成（後述する外れ防止部５０の締付け部５６と同様の形態）が挙げられる。
【００３６】
ここでは、上記第１曲げ部２０と第２曲げ部３０と支持部４０とは、一体形成されている。例えば、この第１曲げ部２０と第２曲げ部３０と支持部４０とは、第１曲げ部２０及び第２曲げ部３０及び支持部４０に対応する面を有する金型を用いて、樹脂材料を射出成形等することにより成形できる。もっとも、第１曲げ部２０と第２曲げ部３０と支持部４０とは、それぞれ別体で形成され、嵌合等して組立て或いは接着することにより１つの部材として構成されてもよい。
【００３７】
外れ防止部５０は、第１曲げ部２０又は第２曲げ部３０に引掛けられる光ケーブル２を、第１曲げ部２０及び第２曲げ部３０から外れるのを防止する部分である（図３〜図５参照）。より具体的には、この外れ防止部５０は、光ケーブル２が、ガイド部２６、３６を越えて第１曲げ部２０又は第２曲げ部３０から外れるのを防止するためのものである。この外れ防止部５０は、第１孔部５２と、第２孔部５４と、締付け部５６とを有している。
【００３８】
第１孔部５２は、第１曲げ部２０の第１本体部２２に形成されている径方向に貫通する孔部である。また、第２孔部５４は、第２曲げ部３０の第２本体部３２に形成されている径方向に貫通する孔部である。ここでは、第１孔部５２及び第２孔部５４は、それぞれ、支持部４０の延出方向に略直交する方向に貫通するように形成されている。
【００３９】
締付け部５６は、第１孔部５２又は第２孔部５４に挿通して、第１曲げ部２０又は第２曲げ部３０を巻くように締付け可能な長尺帯状に形成されている。すなわち、第１曲げ部２０又は第２曲げ部３０に引掛けられる光ケーブル２を、第１曲げ部２０又は第２曲げ部３０ごと巻いて締め付け、外れを防止する部材である。より具体的には、締付け部５６は、第１引掛面２３とガイド部２６とガイド部３６と（第２引掛面３３とガイド部３６と基部３８と）で囲まれる周方向に存在する空間を、その外周側を横切るように周方向一部で囲むように装着される。ここでは、締付け部５６としては、結束バンドを採用している。ここで、結束バンドとは、帯状部と、帯状部の一端に設けられ、帯状部の他端側部分を挿通可能なロック部とを有している部材である。当該帯状部にはその延在方向に並ぶように複数の被係止部が形成され、ロック部には複数の被係止部に対して選択的に係止可能な係止部が形成されている。そして、帯状部の他端側部分がロック部に挿通されると、係止部が複数の被係止部のうちのいずれか１つに係止して、環状の形態が維持される。もっとも、締付け部５６は、結束バンドに限られず、紐状の部材であって、第１孔部５２又は第２孔部５４に挿通して端部同志を結ぶ等して締め付けるものであってもよい。
【００４０】
次に、上記光ケーブル曲げ支持部材１０を用いて、光ケーブル２をワイヤーハーネスＷＨの曲げ、分岐位置等の一定位置に曲げ支持する態様について例を挙げて説明する。ここでは、光ケーブル２を略１８０度折り返すように曲げる場合について説明する（図６、図７参照）。
【００４１】
この光ケーブル曲げ支持部材１０は、組立図板上でワイヤーハーネスＷＨの組立作業が進められ、ワイヤーハーネスＷＨの一定位置に固定された後、光ケーブル２を配策する工程で、光ケーブル２が引掛けられて曲げ支持するようになっている。すなわち、以下の説明において、光ケーブル曲げ支持部材１０は、支持部４０が、ワイヤーハーネスＷＨの一定位置に、ワイヤーハーネスＷＨと一緒に粘着テープＴで巻かれて固定されているものとする。
【００４２】
まず、実寸法が基準寸法と略同じ光ケーブル２を配策する場合について説明する。
【００４３】
光ケーブル２のうちワイヤーハーネスＷＨの一定位置で曲げられる部分を第１曲げ部２０に引掛ける。すなわち、第１引掛面２３とガイド部２６、３６とで囲まれる空間に光ケーブル２を配設する。これにより、光ケーブル２は、曲げ部分が第１引掛面２３に接触し、最小許容曲げ半径で曲げられた状態となっている。すなわち、この状態で、光ケーブル２は、最小許容曲げ半径より小さい曲げ半径で曲げられることが防止されている。また、光ケーブル２は、ガイド部２６、３６により、第１本体部２２の外周側に位置するように位置規制されている。
【００４４】
この状態で、外れ防止部５０により、第１曲げ部２０に引掛けられた光ケーブル２を、外れ防止する。すなわち、締付け部５６を、第２孔部５４に挿通すると共に第１曲げ部２０及びガイド部３６を囲うように巻いて締付固定する。これにより、光ケーブル２は、第１曲げ部２０の径方向のうち支持部４０の延出方向に略直交する方向において、２箇所で外周側に移動するのを規制される。
【００４５】
以上のようにして、基準寸法の光ケーブル２、ワイヤーハーネスＷＨの一定位置に曲げ支持することができる。
【００４６】
次に、実寸法が設定寸法と略同じ光ケーブル２を配策する場合について説明する。すなわち、第１曲げ部２０に引掛けた状態では、設定寸法と基準寸法との差の余長分の弛みが発生してしまうような長さの光ケーブル２を配策する場合である。
【００４７】
光ケーブル２のうちワイヤーハーネスＷＨの一定位置で曲げられる部分を第２曲げ部３０に引掛ける。すなわち、第２引掛面３３とガイド部３６と基部３８とで囲まれる空間に光ケーブル２を配設する。これにより、光ケーブル２は、曲げ部分が第２引掛面３３に接触して、余長が吸収されて弛みが少なく配策された状態となっている。この状態でも、光ケーブル２は、最小許容曲げ半径より小さい曲げ半径で曲げられることが防止されている。また、光ケーブル２は、ガイド部３６と基部３８により、第２本体部３２の外周側に位置するように位置規制されている。
【００４８】
この状態で、締付け部５６を、第１孔部５２に挿通すると共に第２曲げ部３０を囲うように巻いて締付固定して、第２曲げ部３０に引掛けられた光ケーブル２を外れ防止する。これにより、光ケーブル２は、第２曲げ部３０の径方向のうち支持部４０の延出方向に略直交する方向において、２箇所で外周側に移動するのを規制される。
【００４９】
以上のようにして、実寸法が基準寸法より長い光ケーブル２を、ワイヤーハーネスＷＨの一定位置に曲げ支持することができる。
【００５０】
なお、基準寸法より長く、設定寸法より短い実寸法の光ケーブル２の場合には、第１曲げ部２０に引掛ければよい。この場合、発生する余長が比較的小さいため、光ケーブル２の敷設経路上でこの余長を吸収可能である。また、この光ケーブル２は、ガイド部２６、３６及び外れ防止部５０により、第１曲げ部２０から外れることを防止される。
【００５１】
また、設定寸法より長く、プラスの寸法公差の範囲内にある実寸法の光ケーブル２の場合には、第２曲げ部３０に引掛ければよい。この場合も、発生する余長が比較的小さいため、光ケーブル２の敷設経路上でこの余長を吸収可能である。そして、この光ケーブル２は、ガイド部３６及び基部３８と外れ防止部５０とにより、第２曲げ部３０から外れることを防止される。
【００５２】
上記光ケーブル曲げ支持部材１０によると、光ケーブル２を曲げた状態で引掛可能な第１引掛面２３を有する第１曲げ部２０と、第１曲げ部２０に引掛けられる光ケーブル２より大きい曲げ半径で曲げた状態で引掛可能な第２引掛面３３を有する第２曲げ部３０とを備えている。そして、支持部４０をワイヤーハーネスＷＨに固定することにより、第１曲げ部２０及び第２曲げ部３０を一定位置に支持可能である。このため、光ケーブル２を、第１曲げ部２０に引掛けることにより最小許容曲げ半径を確保して曲げ状態で支持できると共に、第２曲げ部３０に引掛けることにより基準寸法より長い分の余長を吸収して曲げ状態で支持することができる。すなわち、第１曲げ部２０又は第２曲げ部３０に対して選択的に引掛けることにより、光ケーブル２を、ワイヤーハーネスＷＨの一定位置に、余長処理も可能に曲げ状態で支持することができる。
【００５３】
また、第１曲げ部２０及び第２曲げ部３０は、第１引掛面２３、３３全体が円板の外周面で且つ外方に臨む形状となっており、光ケーブル２を様々な曲げ形態（例えば、１８０度折り返し、９０度曲げ経路等に沿った形態）で曲げることができ、汎用性に優れている。すなわち、異なる曲げ形態で配策される光ケーブル２を支持する場合でも、加工等なしに使用することができ、工数の増加を抑えて作業の効率化を図ることができる。
【００５４】
また、全体として、２つの略円板部分（第１曲げ部２０及び第２曲げ部３０）とそこから延出する板状部分（支持部４０）とで構成されたコンパクトな部材であるため、光ケーブル曲げ支持部材１０を取付けたワイヤーハーネスＷＨ自体もコンパクトにできるし、組付け性もよい。
【００５５】
また、ここでは、第１曲げ部２０の第１引掛面２３が、光ケーブル２を最小許容曲げ半径で曲げられるような曲率半径に設定されているため、光ケーブル曲げ支持部材１０により曲げ支持される箇所において、光ケーブル２の伝送損失の低下を抑制できると共に曲げ破断を防止することができる。
【００５６】
また、光ケーブル２の余長を吸収して、光ケーブル２を曲げ支持することができる。すなわち、光ケーブル２を第１曲げ部２０に対して巻き付けて吸収できる長さよりも短い余長を吸収することができる。この形態は、光ケーブル２について発生する余長が、設定寸法と基準寸法との差及びプラスの寸法公差の和の範囲に決まっているような場合に、特に適している。すなわち、余長が比較的小さく、光ケーブル２を何重にも巻いて余長吸収する必要がないため、巻いた光ケーブル２を収容する部分が要らず、コンパクトである。
【００５７】
また、支持部４０が、第１曲げ部２０又は第２曲げ部３０の一側端部から、外周側すなわち第１曲げ部２０及び第２曲げ部３０の中心軸に直交する一方に向けて延出する板状に形成されているため、ワイヤーハーネスＷＨ等の固定対象に対して支持部４０を粘着テープで貼り付け等するだけで、第１曲げ部２０及び第２曲げ部３０を容易にワイヤーハーネスＷＨの一定位置に固定することができる。
【００５８】
また、第１曲げ部２０と第２曲げ部３０と支持部４０とが一体成形されているため、部品点数の削減を図ることができる。また、これらの部分が別々に成形されている場合と比較して、組立作業等を省略して作業効率を向上させることができる。
【００５９】
また、外れ防止部５０により、光ケーブル２が第１曲げ部２０及び第２曲げ部３０から外れるのを防止することができる。すなわち、光ケーブル２をワイヤーハーネスＷＨの一定位置で曲げ支持して配策経路に配策した状態を、より確実に保持できる。しかも、ここでは、外れ防止部５０が、第１曲げ部２０及び第２曲げ部３０に形成された第１孔部５２及び第２孔部５４と、そこに挿通して締め付ける締付け部５６とで構成されており、簡易且つコンパクトな構成で光ケーブル２の外れを防止することができる。
【符号の説明】
【００６０】
２  光ケーブル
１０  光ケーブル曲げ支持部材
２０  第１曲げ部
２３  第１引掛面
３０  第２曲げ部
３３  第２引掛面
４０  支持部
５０  外れ防止部
ＷＨ  ワイヤーハーネス
【図１】
2012037694.tif 000003
【図２】
2012037694.tif 000004
【図３】
2012037694.tif 000005
【図４】
2012037694.tif 000006
【図５】
2012037694.tif 000007
【図６】
2012037694.tif 000008
【図７】
2012037694.tif 000009